(57)【特許請求の範囲】
【請求項１】
容器体内への挿入用の吸込口(１２)から逆止弁(１４)とトリガーの操作で作動するポンプ(３４)とを通って射出口(１８)へ至る液体噴出用の主流路(３０)を含む噴出器本体(６)と、
その主流路(３０)の射出口(１８)側に嵌合され、ノズル孔(４２)とノズル孔開閉機構(４６)とを有するノズル部材(４０)とを具備し、
上記ポンプ(３４)は、内筒(２４)及び外筒(２６)からなる先端面開放の２重筒状のシリンダ部(２２)と、それら２重筒の間隙内へ、トリガーの操作により進退可能となるように挿入された筒状ピストン(３２)とで形成しており、
このポンプは、通常のトリガー操作では閉弁しておりかつノズル孔を閉じたままでトリガー操作をしたときに開いてポンプ内の過剰圧力を主流路(３０)の外に逃がすリーク弁(Ｖ)を有し、
このリーク弁(Ｖ)は、上記内筒(２４)の内周面側から内筒の先方へ拡開する筒状の弁体(２４ａ)の先部を筒状ピストン(３２)の内周面へ圧接させることで形成したことを特徴とする、トリガー式液体噴出器。
【請求項２】
上記リーク弁(Ｖ)の弁体(２４ａ)は、内筒(２４)の筒壁と一体に、内筒の先端側に形成されたことを特徴とする、請求項１記載のトリガー式液体噴出器。
【請求項３】
上記リーク弁(Ｖ)から内筒(２４)の内部を通って容器体側への戻し口(５６ａ)へ至る補助流路(５６)を構成したことを特徴とする、請求項２記載のトリガー式液体噴出器。
【発明の詳細な説明】
【技術分野】
【０００１】
本発明は、トリガー式液体噴出器に関する。
【背景技術】
【０００２】
この種トリガー式液体噴出器として、トリガーの操作で作動するポンプを利用して容器体側から液体を吸い上げるとともにポンプ内で加圧した液体を射出用流路の先端側へ圧送する噴出器本体と、この射出用流路の先端側へ付設したノズル部材とを具備し、このノズル部材の先端にノズル孔を開閉可能な蓋体を付設したものが知られている（特許文献１）。
【先行技術文献】
【特許文献】
【０００３】
【特許文献１】特開２００７−１３６４１２
【特許文献２】特表２００６−５１７８５８
【発明の概要】
【発明が解決しようとする課題】
【０００４】
特許文献１の液体噴出器は、ノズル孔を閉じるための蓋体を設けているので、ノズル孔にほこりが付着するなどの不都合を防止することができるが、その反面、利用者がノズル部材の先端面から蓋体を外すことを忘れたままでトリガーを引いてしまうことがある。
【０００５】
ノズル孔を蓋体で閉塞したままでトリガーを引こうとしても液体を噴出することができないので、トリガーを引く指に大きな抵抗を生ずる。そのことにより利用者が蓋体をノズル部材の先端面から外していないことに気づけばよいのであるが、単にトリガーが重いだけと勘違いして力いっぱいにトリガーを引いてしまう場合がある。そうなるとトリガーの枢着部に不測の力が加わったり、噴出器本体のポンプ及び射出用流路内の液圧が過剰に高まり、この流路の先端部からノズル部材が不意に外れてしまうおそれがある。
【０００６】
この問題を解決するための方策の一つとして、トリガーの引き寄せ力に対抗してノズル部材が外れない程度に噴出器本体との嵌合保持力を高めることが考えられる。しかしながら、トリガーの引き寄せ力に対抗するという着想では、容器のさまざまな箇所（例えばトリガーの枢着部など）に無用の負荷がかかる。
【０００７】
またトリガーの引き寄せ力に対抗する代りに液体流路内の液体を逃すということも考えられるが、具体的にどの様な構造でどこに逃すのかということが問題である。
【０００８】
例えばポンプ式のディスペンサ容器のノズルに、容器の内外の圧力の不均衡を解消するための空気漏らし弁が知られているが（特許文献２の段落００６０）、この弁は容器の外部からノズル内部へ空気をリークするものに過ぎない。
【０００９】
本発明の目的は、液体射出用の主流路が閉鎖された状態のままでトリガーを引いたときにポンプ内の液体を主流路の外に逃がすリーク弁を設け、ポンプ及び主流路内部が過剰圧力とならないようにした液体噴出器を提案することである。
【課題を解決するための手段】
【００１０】
第１の手段は、容器体内への挿入用の吸込口１２から逆止弁１４とトリガーの操作で作動するポンプ３４とを通って射出口１８へ至る液体噴出用の主流路３０を含む噴出器本体６と、
その主流路３０の射出口１８側に嵌合され、ノズル孔４２とノズル孔開閉機構４６とを有するノズル部材４０とを具備し、
上記ポンプ３４は、内筒２４及び外筒２６からなる先端面開放の２重筒状のシリンダ部２２と、それら２重筒の間隙内へ、トリガーの操作により進退可能となるように挿入された筒状ピストン３２とで形成しており、
このポンプは、通常のトリガー操作では閉弁しておりかつノズル孔を閉じたままでトリガー操作をしたときに開いてポンプ内の過剰圧力を主流路３０の外に逃がすリーク弁Ｖを有し、
このリーク弁Ｖは、上記内筒２４の内周面側から内筒の先方へ拡開する筒状の弁体２４ａの先部を筒状ピストン３２の内周面へ圧接させることで形成した。
【００１１】
本手段は、図１に示すポンプ３４のシリンダ部２２の内筒２４にリーク弁Ｖを設け、ノズル孔を閉じた状態でトリガー３６を引いたときに図６のように開いて、過剰圧力を主流路３０の外に逃がすようにしている。もっともノズル孔を閉じてトリガーを引くと直ちに開弁するのではなく、ポンプ内の過剰圧力が一定レベルになったときに開弁するように設定することが出来る。
【００１２】
「リーク弁」は、ノズル孔が開いときに通常のトリガー操作では確実に密閉状態を保つようにする。そのためにはリーク弁の弁体をやや硬めの材料（ＰＰなど）で形成することが望ましい。「ノズル孔開閉機構」は、図示の蓋体に限らず、ノズル孔を通る液体通路を実質的に閉じることができればよく、例えばノズルヘッドを回転させることでノズル孔の通路を開閉する構造を含む。
【００１３】
第２の手段は、第1の手段を有し、かつ上記リーク弁Ｖの弁体２４ａは、内筒２４の筒壁と一体に、内筒の先端側に形成されている。
【００１４】
本手段では、設計効率のよいリーク弁の態様を提案している。リーク弁の位置は、内筒の先端から離れた場所よりも内筒の先端側とした方が設計し易い。好適な図示例では、図４に示すように内筒の筒壁の先端面に、その面の外縁から一定の間隔を存して環状の切割り（Ｖ字溝）５０を穿設することでこの溝の径方向外側部分をリーク弁の弁体２４ａとしている。
【００１５】
第３の手段は、第２の手段を有し、かつ上記リーク弁Ｖから内筒２４の内部を通って容器体側への戻し口５６ａへ至る補助流路５６を構成している。
【００１６】
本手段は、図１に示すようにリーク弁Ｖから容器体側へ延びる補助流路５６を設けている。これによりリーク弁から漏れた液体を無駄にしないようにしている。
【発明の効果】
【００１７】
第１の手段に係る発明によれば、ポンプに過剰圧力を逃がすリーク弁Ｖを設けたから、ノズル孔が閉塞した状態で無理にトリガーを引いてもノズル部材４０がとれてしまうなどの不都合を回避できる。
【００１８】
第２の手段に係る発明によれば、上記リーク弁Ｖの弁体を内筒２４と一体とし、かつ内筒の先端部側に設けたから、設計が容易である。
【００１９】
第３の手段に係る発明によれば、リーク弁Ｖから逃がした液体を容器体側へ戻すための補助流路５６を設けたから、逃がした液体が無駄になることがない。
【図面の簡単な説明】
【００２０】
【図１】本発明の第１実施形態に係る液体噴出器の縦断面図である。
【図２】図１の液体噴出器の一の要部の拡大図である。
【図３】図１の液体噴出器の他の要部の拡大図である。
【図４】図３の拡大図をさらに拡大して示す図である。
【図５】図１の液体噴出器のリーク弁が開いた状態で図３の要部を示す図である。
【図６】図５の拡大図をさらに拡大して示す図である。
【図７】図６に示す要部を正面方向から見た部分拡大図である。
【発明を実施するための最良の形態】
【００２１】
図１から図７は、本発明の第１の実施形態に係る液体噴出器である。この液体噴出器は、装着筒２と、噴出器本体６と、ノズル部材４０とで構成している。これらの部材は特に断らない限り合成樹脂で形成することができる。説明の都合上、本発明の構成の特徴部分を後にして、前提的な構成要件をまず説明する。
【００２２】
装着筒２は、図１に示すように、筒壁内部に容器体の口頸部に取り付けるためのねじ構造を有しており、筒壁の上端部に内向きフランジ２ａを付設している。しかしその構造は適宜変更することができる。
【００２３】
噴出器本体６は、上記装着筒の内向きフランジ２ａ下面に下端部を係合させた垂直管８を有する。図示例では、上記垂直管の下端部を、有頂大径の筒形であって装着筒内へ取付け可能な取付け筒部９に形成している。この垂直管の下端から垂下する吸引チューブ１０の下端に吸込口１２を開口し、また垂直管８の上端部内に逆止弁１４を設けている。垂直管８の上部からは逆止弁を介して垂直管の内部に連通する射出筒１６を前方突出する。
【００２４】
この射出筒１６の先部は、内向きフランジ状の前壁を介して射出口１８を前方へ開口しており、かつ上記前壁から、後述のノズル部材を嵌合させるための小径の連結筒２０を前方突出している。図示例では、射出筒の先部を別体として形成しているが、これは必須の構成ではない。
【００２５】
この射出筒１６の下方には、垂直管８に連結してシリンダ部２２を設ける。このシリンダ部２２は、垂直管の前壁部から前方へ延びる同心状の内筒２４と外筒２６とからなり、これら両筒の間をポンプ室２８としている。
【００２６】
このポンプ室２８は、射出筒の筒孔の適所（図示例では後部）に連通しており、上述の吸込口１２から垂直管・ポンプ室・射出筒の各内部を経て射出口１８へ至る主流路３０が形成されている。
【００２７】
上記ポンプ室内には、垂直管の前壁との間に筒状ピストン３２を前後方向への進退可能に嵌挿している。この種の筒状ピストンは、例えば特許文献１に示すように外周側及び内周側にそれぞれ外筒及び内筒と当接するためのスカート状のシール部を設けているが、本発明では、外周側のシール部３３のみを設けている。これについては、後述する。
【００２８】
これら筒状ピストン３２とシリンダ部２２とでポンプ３４を構成している。また上記射出筒１６から揺動可能に垂下するトリガー３６の上部を、上記筒状ピストン３２の前部に枢着している。この筒状ピストン３２は、射出筒とトリガー３６との間に介装したスプリング３８で前方へ付勢されている。
【００２９】
上記射出筒１６の先端部には、ノズル孔４２を有するノズル部材４０を嵌合させている。好適な図示例では、ノズル部材４０が有する基筒４４を、上記噴出器本体の連結筒２０に外嵌し、図２に示すように連結筒２０の外面と基筒４４の内面とに相互に係合する第１、第２嵌合条２０ａ、４４ａとを周設し、これら両嵌合条でノズル部材の嵌合保持手段Ａを構成している。
【００３０】
上記ノズル部材４０は、ノズル孔の開状態及び閉状態を切替可能なノズル孔開閉機構４６を有する。図示例のノズル孔開閉機構は、ノズル部材の筒壁前面に枢着した蓋体として形成しているが、その構造は適宜変更することができる。
【００３１】
本発明においては、図３に示すように、ポンプ室にリーク弁Ｖを設ける。このリーク弁は、内筒に付設した弁体２４ａと、筒状ピストン３２の内周面の一部である弁座３２ａとで形成する。
【００３２】
好適な図示例では、図４に示す如く上記内筒２４の先端面（前端面）に当該先端面の外縁から一定の間隔ｄを存して切割り５０を穿設するとともに、この切割り外側の筒壁部分を前方側やや大径のテーパ状筒として上記弁体２４ａとしている。
【００３３】
上記切割り５０は断面Ｖ字形であり、上記弁体が縮径変形できるように溝内の間隙５２を弁体の変形代としている。
【００３４】
上記筒状ピストン３２は、その内周面の全体を直筒形に形成しており、その内周面のうち弁体付近の部分を弁座３２ａとしている。
【００３５】
上記弁体２４ａは、通常のポンプ動作を妨げない程度の硬い弾性を有する。すなわちリーク弁Ｖは、ノズル孔４２が開放されている状態でのトリガー操作によるポンプ室内の液圧の最大値では開弁せず、かつ上記ノズル部材４０の嵌合保持手段Ａの嵌合力相応の圧力より低い圧力で開弁するように構成する。
【００３６】
また図示例では、内筒２４の前端部は、通液孔５４を含む前壁で閉塞している。しかしながら、この構成は適宜変更することができる。
【００３７】
本実施形態では、上記リーク弁Ｖから上記通液孔５４を通り、垂直管８の前壁部内を縦断し、取付け筒部９の頂壁を貫通して、容器体側への戻し口５６ａへ至る補助通路５６を開通する。
【００３８】
上記構成において、本願の液体噴出器を使用するときには、液体噴出器の装着筒を図１に想像線で示す容器体の口頸部に装着すればよい。ノズル孔開閉機構４６である蓋体でノズル孔４２を閉塞した状態で無理にトリガー３６を引こうとすると、図６に示すようにポンプ室内の液圧が上昇し、リーク弁Ｖが開弁する。リーク弁から漏れた液体は上記補助通路５６を介して容器体側へ回収される。これによりポンプ室２８及び逆止弁１４よりも下流側の主流路部分内での液体の上昇は緩和される。従ってノズル部材４０が噴出器本体６から外れてしまうことを防止できる。
【符号の説明】
【００３９】
２…装着筒  ２ａ… 内向きフランジ  ６…噴出器本体  ８…垂直管  ９…取付け筒部
１０…吸引チューブ  １２…吸込口  １４…逆止弁  １６…射出筒  １８…射出口
２０…連結筒  ２０ａ…第１嵌合条  ２２…シリンダ部
２４…内筒  ２４ａ…弁体  ２６…外筒
２８…ポンプ室  ３０…主流路  ３２…筒状ピストン  ３２ａ…弁座
３３…シール部  ３４…ポンプ  ３６…トリガー  ３８…スプリング
４０…ノズル部材  ４２…ノズル孔  ４４…基筒  ４４ａ…第２嵌合条
４６…ノズル孔開閉機構
５０…切割り  ５２…間隙  ５４…通液孔  ５６…補助流路  ５６ａ…戻し口
Ａ…嵌合保持手段  Ｖ…リーク弁
【図１】
0005601654.tif 000002
【図２】
0005601654.tif 000003
【図３】
0005601654.tif 000004
【図４】
0005601654.tif 000005
【図５】
0005601654.tif 000006
【図６】
0005601654.tif 000007
【図７】
0005601654.tif 000008